(57)【要約】【課題】  レンズ設計や鏡筒設計の自由度を制限すること無く、温度変化に対するフォーカス位置の変化を抑える。【解決手段】  レンズを保持するレンズ枠を固定する前部鏡筒２０２と後部鏡筒２１６を位置決め固定するねじ２２０を長くとり、モールド部材である後部鏡筒２１６の温度変化による膨張・収縮を、金属部材であるねじ２２０により抑える。【選択図】  図１
2006267852.tif 000002
【特許請求の範囲】
【請求項１】
レンズを保持するレンズ枠と、レンズ枠を保持する固定筒において、相互を固定するねじを光軸方向に長くとることを特徴とするレンズ鏡筒。
【発明の詳細な説明】
【技術分野】
【０００１】
本発明は、レンズ鏡筒内における光学レンズの保持に供される鏡筒部材に係る技術に関する。
【背景技術】
【０００２】
従来より光学機器においては、温度変化に対して、フォーカス位置が変動せず安定したものとするために、温度依存性の少ない材料でレンズ及び鏡筒が構成されている。
【０００３】
また、温度変化に対して、焦点位置の変動を補正した温度補正型光学装置として、例えば下記特許文献１に提案されている温度補正型光学装置がある。この温度補正型光学装置では、鏡筒材料の線膨張係数による長さの変化と、レンズのフォーカス位置の変化とを相殺するように光学設計を行っている。
【特許文献１】特開平６−１３０２６７号公報
【発明の開示】
【発明が解決しようとする課題】
【０００４】
しかしながら、前記特許文献１に記載の温度補正型光学装置は、簡素な光学系に対して有効で、収差を高いレベルで補正しようとするようなレンズに対しては、レンズ設計上の自由度が不足し、設計が困難となる。
【０００５】
また、温度依存性の少ない材料でレンズ及び鏡筒を構成することは、レンズ及び鏡筒設計上の自由度が不足し、またコスト増ともなる。
【０００６】
以上のように、レンズ及び鏡筒設計の自由度を制限すること無く、温度変化に対するフォーカス位置の変動を抑えるということが大きな課題となっている。
【０００７】
そこで、本発明の例示的な目的は、温度変化に対するフォーカス位置の変動を抑えながら、レンズ及び鏡筒設計に制約をつけず、安価なモールド部材で構成されるレンズ鏡筒を提供することにある。
【課題を解決するための手段】
【０００８】
上記目的を達成するために、本発明のレンズ鏡筒は、レンズを保持するレンズ枠及びレンズ枠を保持する固定筒において、相互を固定するねじを光軸方向に長くとることを特徴とする。
【０００９】
本発明の更なる目的又はその他の特徴は、以下、添付の図面を参照して説明される好ましい実施例等によって明らかにされるであろう。
【発明の効果】
【００１０】
レンズ設計や鏡筒設計の自由度を制限すること無く、温度変化に対するフォーカス位置の変化が小さいレンズができる。
【発明を実施するための最良の形態】
【００１１】
以下に、本発明の実施の形態を添付の図面に基づいて詳細に説明する。
【実施例１】
【００１２】
図１は、本発明の一実施形態に係るレンズ鏡筒の構成を示す断面図である。
【００１３】
本レンズを構成する４つのレンズ群２０１ａ〜２０１ｄは、固定された前玉レンズ２０１ａ、光軸に沿って移動することで変倍動作を行うバリエーターレンズ群２０１ｂ、固定されたアフォーカルレンズ２０１ｃ、および光軸に沿って移動することで変倍時の焦点面維持と焦点合わせを行うフォーカシングレンズ群２０１ｄ、最後部の保護ガラス２０１eからなる。
【００１４】
ガイドバー２０３，５２は光軸２０５と平行に配置され、移動するレンズ群の案内および回り止めを行う。図示無きリードスクリューをともなうステッピングモータはラック部材２１３を介してバリエーターレンズ群２０１ｂを移動させている。
【００１５】
前玉レンズ２０１ａは前玉鏡筒２１０に保持され、前部鏡筒２０２に位置決め固定されており、バリエーターレンズ群２０１ｂはＶ移動環２１１に保持されている。また、アフォーカルレンズ２０１ｃは中間枠２１５に、フォーカシングレンズ群２０１ｄはＲＲ移動環２１４に保持されている。
【００１６】
前部鏡筒２０２は、後部鏡筒２１６に位置決め固定されており、両鏡筒２０２，２１６によってガイドバー２０３が位置決め支持されている。
【００１７】
ステッピングモータは、その出力軸に一体形成されたリードスクリューを回転駆動する。リードスクリューにはＶ移動環２１１に組み付けられたラック２１３が係合しており、リードスクリューが回転することによって、Ｖ移動環２１１がガイドバーによりガイドされながら光軸方向に移動する。
【００１８】
後部鏡筒２１６とこの後部鏡筒２１６に位置決めされた中間枠２１５にはガイドバー５２が嵌合支持されている。ＲＲ移動環２１４は、これらガイドバー５２によってガイドおよび回転規制されながら光軸方向に進退可能である。
【００１９】
そして、前玉鏡筒２１０、前側鏡筒２０２、中間枠２１５および後部鏡筒２１６により、レンズ等を略密閉収容するレンズ鏡筒本体が形成される。
【００２０】
２３５はＶ移動環２１１と中間枠２１５との間に配置される絞り機構を駆動して光量調節を行う絞りユニットである。
【００２１】
次にフォーカシングレンズ群２０１ｄを保持するＲＲ移動環２１４を駆動するリニアモータ部に関して、可動側にコイルを配置する「ムービングコイルタイプ」と、可動側にマグネットを配置する「ムービングマグネットタイプ」とがあるが、ここではムービングコイルタイプを例として説明する。
【００２２】
可動側であるフォーカシングレンズ群２０１ｄを保持するフォーカシングレンズ保持枠２１４には、一体的に２個のコイル３０１が接着などの方法で固定されている。一方、固定側である後部鏡筒２１６には、駆動マグネット３０２とヨーク３０３とが固定されている。
【００２３】
そして、これらのコイル３０１、マグネット３０２およびヨーク３０３によってリニアモータが構成され、コイル３０１に電流を流すことによってＲＲ移動環２１４を光軸方向に駆動する推力が発生する。
【００２４】
ここで、前部鏡筒２１０と後部鏡筒２０２を位置決め固定するねじ２２０は、通常のねじよりも長くとってあり、ヨーク３０３近傍まで伸びている。これにより、モールド部材である後部鏡筒２０２は、ねじ２２０およびヨーク３０３といった金属部材により温度変化による膨張・収縮が抑えられる。後部鏡筒２０２は、前玉鏡筒２１０を保持する前部鏡筒２０２、及び中間枠２１５を保持する鏡筒であり、本鏡筒の温度変化による膨張・収縮を抑えることにより、温度変化に対するフォーカス位置の変化の小さいレンズができる。
【００２５】
以上、本発明の好ましい実施例について説明したが、本発明はこれらの実施例に限定されないことはいうまでもなく、その要旨の範囲内で種々の変形及び変更が可能である。
【図面の簡単な説明】
【００２６】
【図１】本発明の実施の形態１に係るレンズ鏡筒の断面図
【符号の説明】
【００２７】
５２  ガイドバー
２０１a  前玉レンズ
２０１ｂ  バリエーターレンズ
２０１ｃ  アフォーカルレンズ
２０１ｄ  フォーカシングレンズ
２０１ｅ  保護ガラス
２０２  前部鏡筒
２０３  ガイドバー
２０５  光軸
２１０  前玉鏡筒
２１１  V移動環
２１３  ラック
２１４  RR移動環
２１５  中間枠
２１６  後部鏡筒
２２０  ねじ
２３５  絞りユニット
３０１  コイル
３０２  マグネット
３０３  ヨーク
【図１】
2006267852.tif 000003